(57)【特許請求の範囲】
【請求項１】
マスター無線基地局及びセカンダリ無線基地局を用いたキャリアアグリゲーションを行うことができるように構成されている移動局であって、
前記キャリアアグリゲーション中に、複数のランダムアクセス手順が起動された際に、所定規則に基づいて、該複数のランダムアクセス手順の各々における送信電力制御に対する優先制御を行うように構成されている制御部を具備し、
前記制御部は、前記複数のランダムアクセス手順においてランダムアクセスプリアンブルの同時送信が発生する場合、優先させるランダムアクセス手順におけるランダムアクセスプリアンブルの送信電力に対してランピング制御を行い、該優先させるランダムアクセス手順以外のランダムアクセス手順におけるランダムアクセスプリアンブルの送信電力に対してランピング制御を行わないように構成されていること
を特徴とする移動局。
【請求項２】
前記制御部は、前記優先制御として、プライマリセルにおけるランダムアクセス手順における送信電力制御を優先させるように構成されていることを特徴とする請求項１に記載の移動局。
【請求項３】
前記制御部は、前記優先制御として、非衝突型ランダムアクセス手順における送信電力制御を優先させるように構成されていることを特徴とする請求項１に記載の移動局。
【請求項４】
マスター無線基地局及びセカンダリ無線基地局を用いたキャリアアグリゲーションを行うことができるように構成されている移動局であって、
前記キャリアアグリゲーション中に、複数のランダムアクセス手順が起動された際に、所定規則に基づいて、該複数のランダムアクセス手順の各々における送信電力制御に対する優先制御を行うように構成されている制御部を具備し、
前記制御部は、前記優先制御として、ＣＣＣＨのためのランダムアクセス手順における送信電力制御を優先させるように構成されていることを特徴とする移動局。
【請求項５】
マスター無線基地局及びセカンダリ無線基地局を用いたキャリアアグリゲーションを行うことができるように構成されている移動局であって、
前記キャリアアグリゲーション中に、複数のランダムアクセス手順が起動された際に、所定規則に基づいて、該複数のランダムアクセス手順の各々における送信電力制御に対する優先制御を行うように構成されている制御部を具備し、
前記制御部は、前記複数のランダムアクセス手順においてランダムアクセスプリアンブルの同時送信が発生する場合、優先させるランダムアクセス手順以外のランダムアクセス手順においてランダムアクセスプリアンブルを送信しないように構成されていることを特徴とする移動局。
【請求項６】
マスター無線基地局及びセカンダリ無線基地局を用いたキャリアアグリゲーションを行うことができるように構成されている移動局であって、
前記キャリアアグリゲーション中に、複数のランダムアクセス手順が起動された際に、該複数のランダムアクセス手順においてランダムアクセスプリアンブルの同時送信が発生する場合で、かつ、該同時送信が発生するランダムアクセス手順の少なくとも一方が衝突型ランダムアクセス手順である場合に、ＭＰＲ又はＰ-ＭＰＲの値が最も小さくなるランダムアクセスプリアンブルの組み合わせを選択するように構成されている制御部を具備することを特徴とする移動局。
【発明の詳細な説明】
【技術分野】
【０００１】
本発明は、移動局及び移動通信方法に関する。
【背景技術】
【０００２】
ＬＴＥ方式のＲｅｌｅａｓｅ-１０までで規定されているＣＡ（Ｃａｒｒｉｅｒ  Ａｇｇｒｅｇａｔｉｏｎ、キャリアアグリゲーション）では、図４（ａ）に示すように、同一の無線基地局ｅＮＢ配下のＣＣ（Ｃｏｍｐｏｎｅｎｔ  Ｃａｒｒｉｅｒ、コンポーネントキャリア）＃１及びＣＣ＃２を用いて同時通信を行うことで高いスループットを実現することが可能であった。
【０００３】
一方、ＬＴＥ方式のＲｅｌｅａｓｅ-１２では、ＬＴＥ方式のＲｅｌｅａｓｅ-１０までのＣＡを拡張して、図４（ｂ）に示すように、異なる無線基地局ｅＮＢ＃１/ｅＮＢ＃２配下のＣＣ＃１/ＣＣ＃２を用いて同時通信を行うことで高いスループットを実現する「Ｉｎｔｅｒ-ｅＮＢ  ＣＡ（或いは、Ｉｎｔｅｒ-ｎｏｄｅ  ＵＰ  ａｇｇｒｅｇａｔｉｏｎ）」が検討されている（非特許文献１参照）。
【０００４】
例えば、全てのＣＣを単一の無線基地局ｅＮＢ内に収容することができない場合に、ＬＴＥ方式のＲｅｌｅａｓｅ-１０と同程度のスループットを実現するためには、「Ｉｎｔｅｒ-ｅＮＢ  ＣＡ」を行うことが必要となる。
【先行技術文献】
【非特許文献】
【０００５】
【非特許文献１】３ＧＰＰ寄書Ｒ２-１３１７８２
【発明の概要】
【発明が解決しようとする課題】
【０００６】
従来のＬＴＥ方式における「Ｉｎｔｅｒ-ｅＮＢ  ＣＡ」では、ＭＡＣ（Ｍｅｄｉａ  Ａｃｃｅｓｓ  Ｃｏｎｔｒｏｌ）スケジューラは、ＣＣごとに独立であるため、それぞれ対応する無線基地局ｅＮＢに対してＢＳＲ（Ｂｕｆｆｅｒ  Ｓｔａｔｕｓ  Ｒｅｐｏｒｔ）を送信する必要がある。
【０００７】
また、各無線基地局ｅＮＢは、独立に、ＲＡＣＨ（Ｒａｎｄｏｍ  Ａｃｃｅｓｓ  Ｃｈａｎｎｅｌ）手順を起動することが想定される。
【０００８】
したがって、単一の移動局ＵＥに対して複数のＲＡＣＨ手順が同時にトリガされることが想定される。
【０００９】
しかしながら、既存の移動局ＵＥは、常に１つのＲＡＣＨ手順のみを行うことが規定されているため、複数のＲＡＣＨ手順を同時に起動する場合、どのような送信電力制御を行うべきか明確ではないという問題点があった。
【００１０】
そこで、本発明は、上述の課題に鑑みてなされたものであり、複数のＲＡＣＨ手順が同時に起動された場合に適切な送信電力制御を行うことができる移動局及び移動通信方法を提供することを目的とする。
【課題を解決するための手段】
【００１１】
本発明の第１の特徴は、マスター無線基地局及びセカンダリ無線基地局を用いたキャリアアグリゲーションを行うことができるように構成されている移動局であって、前記キャリアアグリゲーション中に、複数のランダムアクセス手順が起動された際に、所定規則に基づいて、該複数のランダムアクセス手順の各々における送信電力制御に対する優先制御を行うように構成されている制御部を具備することを要旨とする。
【００１２】
本発明の第２の特徴は、マスター無線基地局及びセカンダリ無線基地局を用いたキャリアアグリゲーションを行うことができるように構成されている移動局であって、前記キャリアアグリゲーション中に、複数のランダムアクセス手順が起動された際に、該複数のランダムアクセス手順においてランダムアクセスプリアンブルの同時送信が発生する場合で、かつ、該同時送信が発生するランダムアクセス手順の少なくとも一方が衝突型ランダムアクセス手順である場合に、ＭＰＲ又はＰ-ＭＰＲの値が最も小さくなるランダムアクセスプリアンブルの組み合わせを選択するように構成されている制御部を具備することを要旨とする。
【００１３】
本発明の第３の特徴は、移動局が、マスター無線基地局及びセカンダリ無線基地局を用いたキャリアアグリゲーションを行うことができるように構成されている移動通信システムであって、前記マスター無線基地局或いは前記セカンダリ無線基地局は、前記移動局に対して、同時送信用のランダムアクセスプリアンブル系列及び非同時送信用のランダムアクセスプリアンブル系列を設定するように構成されており、前記移動局は、前記キャリアアグリゲーション中に、複数のランダムアクセス手順が起動された際に、該複数のランダムアクセス手順においてランダムアクセスプリアンブルの同時送信が発生する場合、前記同時送信用のランダムアクセスプリアンブル系列を用いるように構成されていることを要旨とする。
【００１４】
本発明の第４の特徴は、移動局が、マスター無線基地局及びセカンダリ無線基地局を用いたキャリアアグリゲーションを行うことができるように構成されている移動通信システムであって、前記マスター無線基地局或いは前記セカンダリ無線基地局は、前記キャリアアグリゲーション中に前記複数のランダムアクセス手順においてランダムアクセスプリアンブルの同時送信が発生しないように、前記移動局に対して割り当てる該ランダムアクセスプリアンブルを送信するための時間方向のリソースを調整するように構成されていることを要旨とする。
【発明の効果】
【００１５】
以上説明したように、本発明によれば、複数のＲＡＣＨ手順が同時に起動された場合に適切な送信電力制御を行うことができる移動局及び移動通信方法を提供することができる。
【図面の簡単な説明】
【００１６】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するためのフローチャートである。
【図４】従来技術を説明するための図である。
【発明を実施するための形態】
【００１７】
（本発明の第１の実施形態に係る移動通信システム）
図１乃至図３を参照して、本発明の第１の実施形態に係る移動通信システムについて説明する。
【００１８】
本実施形態に係る移動通信システムは、ＬＴＥ方式（或いは、ＬＴＥ-Ａｄｖａｎｃｅｄ方式）の移動通信システムであって、図１に示すように、無線基地局ＭｅＮＢと、無線基地局ＳｅＮＢとを具備している。
【００１９】
本実施形態に係る移動通信システムでは、移動局ＵＥが、無線基地局ＭｅＮＢ及び無線基地局ＳｅＮＢを用いた「Ｉｎｔｅｒ-ｅＮＢ  ＣＡ」を行うことができるように構成されている。
【００２０】
図２に示すように、本実施形態に係る移動局ＵＥは、受信部１１と、送信部１２と、制御部１３とを具備している。
【００２１】
受信部１１は、無線基地局ＭｅＮＢ/ＳｅＮＢから各種信号を受信するように構成されており、送信部１２は、無線基地局ＭｅＮＢ/ＳｅＮＢに対して各種信号を送信するように構成されている。
【００２２】
制御部１３は、上述の「Ｉｎｔｅｒ-ｅＮＢ  ＣＡ」中に、複数のＲＡＣＨ手順が起動された際に、所定規則に基づいて、かかる複数のＲＡＣＨ手順の各々における送信電力制御に対する優先制御を行うように構成されている。
【００２３】
例えば、制御部１３は、上述の特定のＲＡＣＨ手順として、無線基地局ＭｅＮＢ或いは無線基地局ＳｅＮＢによって明示的に指示された優先度に基づいて、かかる送信電力制御に対する優先制御を行うように構成されていてもよい。
【００２４】
なお、かかる指示は、ＲＲＣレイヤやＭＡＣレイヤや物理レイヤ等の任意のレイヤによって行われてもよい。
【００２５】
また、制御部１３は、上述の優先制御として、無線基地局ＭｅＮＢとの間のＲＡＣＨ手順における送信電力制御を優先させるように構成されていてもよい。
【００２６】
なお、無線基地局ＳｅＮＢが複数存在している場合には、制御部１３は、上述の優先制御として、複数の無線基地局ＳｅＮＢのうちの「ｅＮＢＩｎｄｅｘ」が小さい方の無線基地局ＳｅＮＢとの間のＲＡＣＨ手順における送信電力制御を優先させるように構成されていてもよい。
【００２７】
或いは、制御部１３は、上述の優先制御として、ＳＲＢ（Ｓｉｇｎａｌｉｎｇ  Ｒａｄｉｏ  Ｂｅａｒｅｒ）が設定されている無線基地局ＭｅＮＢ又は無線基地局ＳｅＮＢとの間のＲＡＣＨ手順における送信電力制御を優先させるように構成されていてもよい。
【００２８】
或いは、制御部１３は、上述の優先制御として、ＰｃｅｌｌにおけるＲＡＣＨ手順における送信電力制御を優先的に行うように構成されていてもよい。
【００２９】
なお、複数のＳｃｅｌｌが存在している場合には、制御部１３は、上述の優先制御として、複数のＳｃｅｌｌのうちの「Ｓｐｅｃｉａｌｌ  ｃｅｌｌ」におけるＲＡＣＨ手順における送信電力制御を優先させるように構成されていてもよい。
【００３０】
なお、「Ｓｐｅｃｉａｌｌ  ｃｅｌｌ」は、常にアクティブ状態のセルであってもよいし、「Ｃｏｎｔｅｎｔｉｏｎ  ｂａｓｅｄ  ＲＡＣＨ手順」がサポートされているセルであってもよいし、無線基地局ＳｅＮＢに初めて設定されるセルであってもよいし、ＲＬＭ（Ｒａｄｉｏ  Ｌｉｎｋ  Ｍｏｎｉｔｏｒｉｎｇ）が設定されているセルであってもよい。
【００３１】
或いは、制御部１３は、上述の優先制御として、「Ｎｏｎ-ｃｏｎｔｅｎｔｉｏｎ  ｂａｓｅｄ  ＲＡＣＨ手順」における送信電力制御を優先させるように構成されていてもよい。
【００３２】
或いは、制御部１３は、上述の優先制御として、ランダムアクセスプリアンブルの送信回数が多いＲＡＣＨ手順（すなわち、Ｐｏｗｅｒ  ｒａｍｐｉｎｇの回数が多いＲＡＣＨ手順）における送信電力制御を優先させるように構成されていてもよい。
【００３３】
或いは、制御部１３は、上述の優先制御として、ネットワークから指定されたＰＲＡＣＨに係るＲＡＣＨ手順を優先させるように構成されていてもよい。
【００３４】
例えば、制御部１３は、上述の優先制御として、「ＵＬ  ｄａｔａ  ｒｅｓｕｍｉｎｇ手順」により移動局ＵＥによって自律的に起動されるＲＡＣＨ手順の優先度を下げるように構成されていてもよい。
【００３５】
或いは、制御部１３は、上述の優先制御として、ＣＣＣＨ（Ｃｏｍｍｏｎ  Ｃｏｎｔｒｏｌ  Ｃｈａｎｎｅｌ）のためのＲＡＣＨ手順における送信電力制御を優先させるように構成されていてもよい。例えば、ＣＣＣＨは、再接続手順を行うために用いられる。
【００３６】
具体的には、制御部１３は、上述の優先制御として、上述の複数のＲＡＣＨ手順においてランダムアクセスプリアンブルの同時送信が発生する場合、優先させるＲＡＣＨ手順におけるランダムアクセスプリアンブルの送信電力に対してランピング制御（Ｐｏｗｅｒ  ｒａｍｐｉｎｇ）を行い、優先させるＲＡＣＨ手順以外のＲＡＣＨ手順におけるランダムアクセスプリアンブルの送信電力に対してランピング制御（Ｐｏｗｅｒ  ｒａｍｐｉｎｇ）を行わないように構成されていてもよい。
【００３７】
かかる場合、制御部１３は、ランダムアクセスプリアンブルの送信回数を、通常のＲＡＣＨ手順におけるランダムアクセスプリアンブルの送信回数よりも増やすように構成されていてもよい。
【００３８】
或いは、制御部１３は、上述の複数のＲＡＣＨ手順においてランダムアクセスプリアンブルの同時送信が発生する場合、優先させるＲＡＣＨ手順以外のＲＡＣＨ手順においてランダムアクセスプリアンブルを送信しないように構成されていてもよい。
【００３９】
以下、図３を参照して、本実施形態に係る移動局ＵＥの具体的な動作の一例について説明する。
【００４０】
図３に示すように、移動局ＵＥは、ステップＳ１０１において、ＲＡＣＨ手順の起動トリガを検出すると、ステップＳ１０２において、他のＲＡＣＨ手順が起動されているか否かについて判定する。
【００４１】
「Ｙｅｓ」の場合、本動作は、ステップＳ１０３に進み、「Ｎｏ」の場合、本動作は、ステップＳ１０４に進む。
【００４２】
ステップＳ１０３において、移動局ＵＥは、所定規則に従って、複数のＲＡＣＨ手順の各々における送信電力制御に対する優先制御を行う。
【００４３】
一方、ステップＳ１０４において、移動局ＵＥは、既存のＲＡＣＨ手順における送信電力制御を行う（３ＧＰＰのＴＳ３６.２１３の６.１章参照）。
【００４４】
（変更例１）
以下、本発明の変更例１に係る移動通信システムについて、上述の第１の実施形態に係る移動通信システムとの相違点に着目して説明する。
【００４５】
本変更例１に係る移動通信システムでは、移動局ＵＥの制御部１３は、上述の「Ｉｎｔｅｒ-ｅＮＢ  ＣＡ」中に、複数のＲＡＣＨ手順が起動された際に、かかる複数のＲＡＣＨ手順のうちの複数の「Ｃｏｎｔｅｎｔｉｏｎ  ｂａｓｅｄ  ＲＡＣＨ手順」においてランダムアクセスプリアンブルの同時送信が発生する場合、３ＧＰＰのＴＳ３６.１０１の６.２.５章に規定されているＰ-ＭＰＲ（Ｐｏｗｅｒ-ｍａｎａｇｅｍｅｎｔ-Ｍａｘｉｍｕｍ  Ｐｏｗｅｒ  Ｒｅｄｕｃｔｉｏｎ）の値（或いは、ＭＰＲの値）が最も小さくなるランダムアクセスプリアンブルの組み合わせを選択するように構成されている。
【００４６】
なお、制御部１３は、「Ｃｏｎｔｅｎｔｉｏｎ  ｂａｓｅｄ  ＲＡＣＨ手順」において、ＰＲＡＣＨ用のＣＣやランダムアクセスプリアンブル系列（ＰＲＡＣＨ系列）の組み合わせについても、自律的に、上述のＰ-ＭＰＲの値が最も小さくなる組み合わせを選択するように構成されていてもよい。
【００４７】
（変更例２）
以下、本発明の変更例２に係る移動通信システムについて、上述の第１の実施形態に係る移動通信システムとの相違点に着目して説明する。
【００４８】
本変更例２に係る移動通信システムでは、無線基地局ＭｅＮＢ或いは無線基地局ＳｅＮＢは、移動局ＵＥに対して、同時送信用のランダムアクセスプリアンブル系列（ＰＲＡＣＨ系列）及び非同時送信用のランダムアクセスプリアンブル系列（ＰＲＡＣＨ系列）を予め設定するように構成されている。
【００４９】
例えば、無線基地局ＭｅＮＢ或いは無線基地局ＳｅＮＢは、同時送信用のランダムアクセスプリアンブル系列として、より低い送信電力で送信される「Ｐｒｅａｍｂｌｅ  ｇｒｏｕｐ  Ｂ」を用い、非同時送信用のランダムアクセスプリアンブル系列として、「Ｐｒｅａｍｂｌｅ  ｇｒｏｕｐ  Ａ」を用いるように構成されていてもよい。
【００５０】
ここで、移動局ＵＥの制御部１３は、上述の「Ｉｎｔｅｒ-ｅＮＢ  ＣＡ」中に、複数のＲＡＣＨ手順が起動された際に、かかる複数のＲＡＣＨ手順においてランダムアクセスプリアンブルの同時送信が発生する場合、上述の同時送信用のランダムアクセスプリアンブル系列を用いるように構成されている。
【００５１】
（変更例３）
以下、本発明の変更例３に係る移動通信システムについて、上述の第１の実施形態に係る移動通信システムとの相違点に着目して説明する。
【００５２】
本変更例３に係る移動通信システムでは、無線基地局ＭｅＮＢ或いは無線基地局ＳｅＮＢは、上述の「Ｉｎｔｅｒ-ｅＮＢ  ＣＡ」中に複数のＲＡＣＨ手順においてランダムアクセスプリアンブルの同時送信が発生しないように、移動局ＵＥに対して割り当てるランダムアクセスプリアンブルを送信するための時間方向のリソースを調整するように構成されていることを要旨とする。
【００５３】
以上に述べた本実施形態の特徴は、以下のように表現されていてもよい。
【００５４】
本実施形態の第１の特徴は、無線基地局ＭｅＮＢ（マスター無線基地局）及び無線基地局ＳｅＮＢ（セカンダリ無線基地局）を用いた「Ｉｎｔｅｒ-ｅＮＢ  ＣＡ（キャリアアグリゲーション）」を行うことができるように構成されている移動局ＵＥであって、かかる「Ｉｎｔｅｒ-ｅＮＢ  ＣＡ」中に、複数のＲＡＣＨ手順（ランダムアクセス手順）が起動された際に、所定規則に基づいて、かかる複数のＲＡＣＨ手順の各々における送信電力制御に対する優先制御を行うように構成されている制御部１３を具備することを要旨とする。
【００５５】
かかる特徴によれば、複数のＲＡＣＨ手順が同時に起動された場合に適切な送信電力制御を行うことができる。
【００５６】
本実施形態の第１の特徴において、制御部１３は、上述の優先制御として、無線基地局ＭｅＮＢとの間のＲＡＣＨ手順における送信電力制御を優先させるように構成されていてもよい。
【００５７】
かかる特徴によれば、複数のＲＡＣＨ手順が同時に起動された場合に、「Ｉｎｔｅｒ-ｅＮＢ  ＣＡ」において重要な役割を果たす無線基地局ＭｅＮＢとの間のＲＡＣＨ手順における送信電力制御を優先させることができる。
【００５８】
本実施形態の第１の特徴において、制御部１３は、上述の優先制御として、ＳＲＢ（シグナリング無線ベアラ）が設定されている無線基地局ｅＮＢ（ＭｅＮＢ又はＳｅＮＢ）との間のＲＡＣＨ手順における送信電力制御を優先させるように構成されていてもよい。
【００５９】
かかる特徴によれば、複数のＲＡＣＨ手順が同時に起動された場合に、通信を行う際に重要なＳＲＢが設定されている無線基地局ｅＮＢとの間のＲＡＣＨ手順における送信電力制御を優先させることができる。
【００６０】
本実施形態の第１の特徴において、制御部１３は、上述の優先制御として、Ｐｃｅｌｌ（プライマリセル）におけるＲＡＣＨ手順における送信電力制御を優先させるように構成されていてもよい。
【００６１】
かかる特徴によれば、複数のＲＡＣＨ手順が同時に起動された場合に、「Ｉｎｔｅｒ-ｅＮＢ  ＣＡ」において重要な役割を果たすＰｃｅｌｌにおけるＲＡＣＨ手順における送信電力制御を優先させることができる。
【００６２】
本実施形態の第１の特徴において、制御部１３は、上述の優先制御として、「Ｎｏｎ-ｃｏｎｔｅｎｔｉｏｎ  ｂａｓｅｄ  ＲＡＣＨ手順（非衝突型ランダムアクセス手順）」における送信電力制御を優先させるように構成されていてもよい。
【００６３】
かかる特徴によれば、複数のＲＡＣＨ手順が同時に起動された場合に、ネットワーク主導で起動される「Ｎｏｎ-ｃｏｎｔｅｎｔｉｏｎ  ｂａｓｅｄ  ＲＡＣＨ手順」における送信電力制御を優先させることができる。
【００６４】
本実施形態の第１の特徴において、制御部１３は、上述の優先制御として、ランダムアクセスプリアンブルの送信回数が多いＲＡＣＨ手順における送信電力制御を優先させるように構成されていてもよい。
【００６５】
かかる特徴によれば、複数のＲＡＣＨ手順が同時に起動された場合に、ランダムアクセスプリアンブルが再送されているＲＡＣＨ手順における送信電力制御を優先させることができる。
【００６６】
本実施形態の第１の特徴において、制御部１３は、上述の優先制御として、ＣＣＣＨのためのＲＡＣＨ手順における送信電力制御を優先させるように構成されていてもよい。
【００６７】
かかる特徴によれば、複数のＲＡＣＨ手順が同時に起動された場合に、再接続手順に係るＲＡＣＨ手順における送信電力制御を優先させることができる。
【００６８】
本実施形態の第１の特徴において、制御部１３は、上述の複数のＲＡＣＨ手順においてランダムアクセスプリアンブルの同時送信が発生する場合、優先させるＲＡＣＨ手順におけるランダムアクセスプリアンブルの送信電力に対してランピング制御を行い、かかる優先させるＲＡＣＨ手順以外のＲＡＣＨ手順におけるランダムアクセスプリアンブルの送信電力に対してランピング制御を行わないように構成されていてもよい。
【００６９】
かかる特徴によれば、同時に起動された複数のＲＡＣＨ手順においてランダムアクセスプリアンブルの同時送信が発生した場合であっても、各ＲＡＣＨ手順における送信電力制御を適切に行うことができる。
【００７０】
本実施形態の第１の特徴において、制御部１３は、上述の複数のＲＡＣＨ手順においてランダムアクセスプリアンブルの同時送信が発生する場合、優先させるＲＡＣＨ手順以外のＲＡＣＨ手順においてランダムアクセスプリアンブルを送信しないように構成されていてもよい。
【００７１】
かかる特徴によれば、同時に起動された複数のＲＡＣＨ手順においてランダムアクセスプリアンブルの同時送信が発生した場合であっても、各ＲＡＣＨ手順における送信電力制御を適切に行うことができる。
【００７２】
本実施形態の第２の特徴は、無線基地局ＭｅＮＢ及び無線基地局ＳｅＮＢを用いた「Ｉｎｔｅｒ-ｅＮＢ  ＣＡ」を行うことができるように構成されている移動局ＵＥであって、かかる「Ｉｎｔｅｒ-ｅＮＢ  ＣＡ」中に、複数のＲＡＣＨ手順が起動された際に、かかる複数のＲＡＣＨ手順においてランダムアクセスプリアンブルの同時送信が発生する場合で、かつ、かかる同時送信が発生するＲＡＣＨ手順の少なくとも一方が「Ｃｏｎｔｅｎｔｉｏｎ  ｂａｓｅｄ  ＲＡＣＨ手順（衝突型ランダムアクセス手順）」である場合に、ＭＰＲ又はＰ-ＭＰＲの値が最も小さくなるランダムアクセスプリアンブルの組み合わせを選択するように構成されている制御部１３を具備することを要旨とする。
【００７３】
かかる特徴によれば、電力オフセット値が小さくなるため、複数のＲＡＣＨ手順が起動された場合の電力張り付き（すなわち、移動局ＵＥにおける送信電力が最大送信電力Ｐｍａｘである状態が続くこと）の発生確率を減らすことができる。
【００７４】
本実施形態の第３の特徴は、移動局ＵＥが、無線基地局ＭｅＮＢ及び無線基地局ＳｅＮＢを用いた「Ｉｎｔｅｒ-ｅＮＢ  ＣＡ」を行うことができるように構成されている移動通信システムであって、無線基地局ＭｅＮＢ或いは無線基地局ＳｅＮＢは、移動局ＵＥに対して、同時送信用のランダムアクセスプリアンブル系列及び非同時送信用のランダムアクセスプリアンブル系列を設定するように構成されており、移動局ＵＥは、上述の「Ｉｎｔｅｒ-ｅＮＢ  ＣＡ」中に、複数のＲＡＣＨ手順が起動された際に、かかる複数のＲＡＣＨ手順においてランダムアクセスプリアンブルの同時送信が発生する場合、上述の同時送信用のランダムアクセスプリアンブル系列を用いるように構成されていることを要旨とする。
【００７５】
かかる特徴によれば、電力オフセット値が小さくなるため、複数のＲＡＣＨ手順が起動された場合の電力張り付きの発生確率を減らすことができる。
【００７６】
本実施形態の第４の特徴は、移動局ＵＥが、無線基地局ＭｅＮＢ及び無線基地局ＳｅＮＢを用いた「Ｉｎｔｅｒ-ｅＮＢ  ＣＡ」を行うことができるように構成されている移動通信システムであって、無線基地局ＭｅＮＢ或いは無線基地局ＳｅＮＢは、上述の「Ｉｎｔｅｒ-ｅＮＢ  ＣＡ」中に複数のＲＡＣＨ手順においてランダムアクセスプリアンブルの同時送信が発生しないように、移動局ＵＥに対して割り当てるランダムアクセスプリアンブルを送信するための時間方向のリソースを調整するように構成されていることを要旨とする。
【００７７】
かかる特徴によれば、電力オフセット値が小さくなるため、複数のＲＡＣＨ手順が起動された場合の電力張り付きの発生確率を減らすことができる。
【００７８】
なお、上述の移動局ＵＥ及び無線基地局ＭｅＮＢ/ＳｅＮＢの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ＭｅＮＢ/ＳｅＮＢ内に設けられていてもよい。また、かかる記憶媒体及びプロセッサは、ディスクリートコンポーネントとして移動局ＵＥ及び無線基地局ＭｅＮＢ/ＳｅＮＢ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ＵＥ…移動局
ＭｅＮＢ、ＳｅＮＢ…無線基地局
１１…受信部
１２…送信部
１３…制御部
【図１】
0005913255.tif 000002
【図２】
0005913255.tif 000003
【図３】
0005913255.tif 000004
【図４】
0005913255.tif 000005